(57)【要約】【課題】  入力された中間周波数帯信号を無線周波数帯信号に変換する周波数変換器において、局部発振信号の電力調整を可能とする技術の提供を目的とする。【解決手段】  周波数変換器に局部発振信号２４を第１の局部発振信号と、第２の局部発振信号に分配する電力分配手段２１と、第１の局部発振信号と該中間周波数帯変調信号とを入力して乗算し、単側波帯（ＳＳＢ）変調信号、もしくは両側波帯（ＤＳＢ）変調信号に変換するミキサ手段２０と、第２の局部発振信号の電力を調整可能な可変アッテネータ手段２２と、ミキサ手段からのミキサ出力信号と、該可変アッテネータ手段からのアッテネータ出力信号とを合成する電力合成手段２３とを備える。【選択図】 図２
2007180621.tif 000002
【特許請求の範囲】
【請求項１】
中間周波数帯変調信号を無線周波数帯変調信号に変換する周波数変換器であって、
局部発振信号を第１の局部発振信号と、第２の局部発振信号に分配する電力分配手段と、
該第１の局部発振信号と該中間周波数帯変調信号とを入力して乗算し、単側波帯（ＳＳＢ）変調信号、もしくは両側波帯（ＤＳＢ）変調信号に変換するミキサ手段と、
該第２の局部発振信号の電力を調整可能な可変アッテネータ手段と、
該ミキサ手段からのミキサ出力信号と、該可変アッテネータ手段からのアッテネータ出力信号とを合成する電力合成手段とを備え、
局部発振信号成分の電力調整が可能な周波数変換器。
【請求項２】
前記ミキサ手段が、イメージ除去バランスミキサである
請求項１に記載の周波数変換器。
【請求項３】
前記ミキサ手段がＮ次のハーモニックミキサであって、
可変アッテネーター手段の前段、もしくは後段にＮ次の周波数逓倍回路を設ける
請求項１に記載の周波数変換器。
【請求項４】
中間周波数帯変調信号を無線周波数帯変調信号に変換する周波数変換器であって、
局部発振信号の１／２の周波数である１／２局部発振信号を入力して相互に同位相な第１及び第２の１／２局部発振信号に等分割する分割手段と、
該第１の１／２局部発振信号と、第１の位相の中間周波数帯信号とを入力するサブハーモニック型の第１のＦＥＴ（電界効果型トランジスタ）ミキサ手段と、
該第２の１／２局部発振信号と、該第１の位相とπ／２の位相差を有する中間周波数帯信号とを入力するサブハーモニック型の第２のＦＥＴミキサ手段と、
該第１のＦＥＴミキサ手段からの出力及び該第２のＦＥＴミキサ手段からの出力を入力する９０度ハイブリッド結合手段とを備えるイメージリジェクション型周波数変換器であって、
該ＦＥＴミキサ手段において局部発振信号成分を調整する調整用バイアス回路を設けた
ことを特徴とする局部発振信号成分の電力調整が可能な周波数変換器。
【請求項５】
前記ＦＥＴミキサ手段が、
前記１／２局部発振信号と前記中間周波数帯信号とをゲートに入力することで、出力において局部発振信号成分と、該周波数成分で中間周波数帯信号に周波数変換された無線周波数帯信号と同時に得られるシングルエンドタイプミキサであって、更に該ゲート入力部には前記調整用バイアス回路である調整用ゲートバイアス電圧印加回路と、ドレインに固定電圧を印加するドレインバイアス電圧印加回路とを備え、
前記１／２局部発振信号の入力と、該調整用ゲートバイアス電圧印加回路からの入力と、前記中間周波数帯信号の入力との各入力を、所定のマッチング回路を介して接続する接続点と、該接続点と接続されるゲート、及び接地されたソース、該ドレインバイアス電圧印加回路により印加されミキサ出力端子を設けたドレインを有するＦＥＴとからなる
請求項４に記載の周波数変換器。
【請求項６】
中間周波数帯変調信号を無線周波数帯変調信号に変換する周波数変換方法であって、
局部発振信号を第１の局部発振信号と、第２の局部発振信号に分配し、
該第１の局部発振信号と該中間周波数帯変調信号とを入力して乗算し、単側波帯（ＳＳＢ）変調信号、もしくは両側波帯（ＤＳＢ）変調信号に変換する一方、
該第２の局部発振信号の電力を調整制御して合成する
ことを特徴とする周波数変換方法。
【請求項７】
中間周波数帯変調信号を無線周波数帯変調信号に変換する周波数変換方法であって、
局部発振信号の１／２の周波数である１／２局部発振信号を入力して相互に同位相な第１及び第２の１／２局部発振信号に等分割し、
該第１の１／２局部発振信号と、第１の位相の中間周波数帯信号とをサブハーモニック型の第１のＦＥＴミキサ手段に入力し、
該第２の１／２局部発振信号と、該第１の位相とπ／２の位相差を有する中間周波数帯信号とをサブハーモニック型の第２のＦＥＴミキサ手段に入力し、
該第１のＦＥＴミキサ手段からの出力及び該第２のＦＥＴミキサ手段からの出力を９０度ハイブリッド結合手段に入力するイメージリジェクション型周波数変換器構成であって、
該ＦＥＴミキサ手段の調整用バイアス回路により周波数変換器出力における局部発振信号成分の電力を調整制御する
ことを特徴とする周波数変換方法。
【請求項８】
送信機が中間周波数帯信号を無線変調信号に変換する際に無変調キャリアと無線変調信号を生成し、アンテナから両信号を放射すると共に、受信機がアンテナで受信した無変調キャリアと無線変調信号との乗積成分を生成することで中間周波数帯信号に変換する自己ヘテロダイン方式の通信システムで用いる送信機において、
前記請求項１ないし５の周波数変換器を備えて無線変調信号を生成する
ことを特徴とする自己ヘテロダイン方式の送信機。
【発明の詳細な説明】
【技術分野】
【０００１】
本発明は、低コストかつ高安定な無線周波数帯（ＲＦ）フロントエンド技術に関し、より詳しくは周波数変換を行うミキサの構成に係る技術である。
【背景技術】
【０００２】
周波数変換を行うミキサ回路の設計にあたっては、要求される多くの仕様を満たす必要がある。変換効率やノイズフィギュアといった一般的な問題だけでなく、ＲＦ送信出力における帯域外放射や不要輻射になるスプリアス成分をミキサ出力において十分に抑圧することが望ましい。
【０００３】
公知の一般的なアップコンバータにおいては、局部発振信号やアップコンバートされた側波帯信号の一方は周波数資源の有効な利用という観点から、十分に抑圧されることが重要である。
そのため、これまでの無線通信における研究開発では、ミキサ出力において局部発振信号成分の除去を行うバランスミキサや、片側帯波成分の除去を行うイメージリジェクションミキサの性能向上に注力されてきた。
【０００４】
図７は本件出願人らによって提案されている無線通信システムの構成であり、送信機（１００）と受信機（１１０）との間で、自己ヘテロダイン方式の通信を行うものである。自己ヘテロダイン方式については、特許文献１ないし３、非特許文献１などに開示されている。
【０００５】
自己ヘテロダイン方式について図７を用いて説明すると、まず送信機（１００）に、中間周波数帯変調信号を発生するIF信号発生部を備えるか、あるいは図のようにIF信号を入力する。そしてミキサ（１０１）において、IF信号と、局部発振器（１０２）で発生させた局部発振信号とを乗積し、無線変調信号を得る。
不要成分を除去するフィルタ（帯域濾波器）（１０３）、アンプ（１０４）を経てアンテナ（１０５）から送出する。
【０００６】
このとき、自己ヘテロダイン方式によればキャリア非抑圧型の単側波帯（ＳＳＢ）変調信号（１２０）、もしくは両側波帯（ＤＳＢ）変調信号（１２１）に変換して受信機に送出する。受信機（１１０）ではアンテナ（１１１）で送信信号を受信してアンプ（１１２）で増幅しフィルタ（１１３）を経て、受信した無変調キャリアを用いて受信した無線変調信号を中間周波数帯へダウンコンバージョンするために、例えば自乗器（１１４）を用いてこれらを併せて検波する。この場合のフィルタ（１１５）直前の信号スペクトラムは（１２２）の通りであり、２次歪による不要成分が低域周波数帯に生じる。これをフィルタ（１１５）で除去し、IF信号が出力される。
【０００７】
このような自己ヘテロダイン方式では、送信機が局部発振信号を変調信号と共に送信し、受信機では受信した局部発振信号を用いて無線変調信号のダウンコンバージョンを行うので、受信機の構成を簡素化することができ、特に位相と周波数を高精度に安定化させた局部発振器を送信機および受信機に設ける必要がない長所がある。
【０００８】
ところで、無線通信システムで用いている従来のミキサ回路としては図８のようなものがある。IF信号の入力口（２０１）から入力されたデータ変調信号であるIF信号（２１０）を９０度ハイブリッド結合器（２００）に入力する。その結果入力ＩＦ信号に対して、０度及び−９０度の各位相差が生じたＩＦ信号がミキサ（２０２）（２０３）において、同相の局部発振信号と乗積されて周波数変換され、再び９０度ハイブリッド結合器（２０１）で合成される。以上より、主として上側波帯の無線周波数帯変調信号（RF信号）（２０７）が出力されるポートと、主として下側波帯のRF信号（２０８）が出力されるポートを取り出すことが可能となる。
【０００９】
上側波帯RF信号の信号スペクトラムを所望スペクトラムとする場合、信号スペクトラム（２１１）のように、下側波帯信号と無変調キャリアは十分に抑圧される必要がある。このように高精度に抑圧が行われるためには、９０度ハイブリッド結合器（２００）および（２０６）においては、各ミキサへの変調信号の等電力分配およびミキサからの変調信号の等電力結合を高精度に行うと同時に、変調周波数帯域に渡り高精度に９０度の位相差を保持する必要がある。また、局部発振信号（２０４）を同相分配器（２０５）で完全な同相状態で両ミキサ（２０２）（２０３）に入力する必要がある。
このような従来のバランス型ミキサやイメージ除去バランスミキサは、当然ながら局発キャリア信号を残留させる必要がないため、その出力強度についても制御する必要はなかった。
【００１０】
一方、自己ヘテロダイン方式で用いるミキサ回路の一例としては、図９のような構成がとられている。すなわち、ウィルキンソン分配器（３００）を用いて、局部発振信号の１／２の周波数の信号（１／２局部発振信号）をミキサ（３０２）（３０３）に入力する。該回路構成は図示の通りであるが、互いに９０度異なる位相のIF信号（３１０）と、１／２局部発振信号とを入力してRF信号に周波数変換し、９０度ブランチラインカプラ（３０４）により合成する。
【００１１】
この結果得られた信号スペクトラム（３１１）は無変調キャリアが残留しており、このRF信号を自己ヘテロダイン方式の送信機で送信する。
このとき、無変調キャリアの強度は、ミキサの設計によって定まるが製造後に変更を行えるようにはなっていない。
【００１２】
【特許文献１】特開２００１−５３６４０号公報
【特許文献２】特開２００３−２６４４７０号公報
【特許文献３】特許第３５６４４８０号
【非特許文献１】Y. Shoji, K. Hamaguchi and H. Ogawa, "Millimeter-wave remote self-heterodyne system for extremely stable and low-cost broadband signal transmission,", IEEE. Trans. Microwave Theory Tech. vol. 50, pp. 1458, 2002年6月
【発明の開示】
【発明が解決しようとする課題】
【００１３】
自己ヘテロダイン方式においては局部発振信号成分と、無線変調信号成分の両信号の電力バランスが伝送信号品質に影響を与えることが本件出願人らの研究によって明らかとされており、両者の少なくともいずれかの電力を調整することが望まれている。しかし、図９に示したような従来のミキサでは製造後には電力調整は行うことができず、最適な条件を得ることが難しいという問題があった。
そこで、本発明では入力された中間周波数帯信号を無線周波数帯信号に変換する周波数変換器において、局部発振信号の電力調整を可能とする技術の提供を目的とする。
【課題を解決するための手段】
【００１４】
本発明は、上記の課題を解決するために、次のような手段を用いる。
すなわち、請求項１に記載の発明は、中間周波数帯変調信号を無線周波数帯変調信号に変換する周波数変換器に係るものである。該周波数変換器に、局部発振信号を第１の局部発振信号と、第２の局部発振信号に分配する電力分配手段と、第１の局部発振信号と該中間周波数帯変調信号とを入力して乗算し、単側波帯（ＳＳＢ）変調信号、もしくは両側波帯（ＤＳＢ）変調信号に変換するミキサ手段と、第２の局部発振信号の電力を調整可能な可変アッテネータ手段と、ミキサ手段からのミキサ出力信号と、該可変アッテネータ手段からのアッテネータ出力信号とを合成する電力合成手段とを備える。
本構成により局部発振信号成分の電力調整が可能な周波数変換器を提供する。
【００１５】
請求項２に記載の発明は、上記請求項１に記載の周波数変換器において、用いるミキサ手段が、イメージ除去バランスミキサであることを特徴とする。
【００１６】
請求項３に記載の発明は、上記請求項１に記載の周波数変換器において、用いるミキサ手段がN次のハーモックミキサであり、可変アッテネーター手段の前段、もしくは後段にＮ次の周波数逓倍回路を設けることを特徴とする。
【００１７】
請求項４に記載の発明は、請求項１とは異なる構成の周波数変換器を提供することができる。本構成は、局部発振信号の１／２の周波数である１／２局部発振信号を入力して相互に同位相な第１及び第２の１／２局部発振信号に等分割する分割手段と、第１の１／２局部発振信号と、第１の位相の中間周波数帯信号とを入力するサブハーモニック型の第１のＦＥＴ（電界効果型トランジスタ）ミキサ手段と、第２の１／２局部発振信号と、該第１の位相とπ／２の位相差を有する中間周波数帯信号とを入力するサブハーモニック型の第２のＦＥＴミキサ手段と、第１のＦＥＴミキサ手段からの出力及び該第２のＦＥＴミキサ手段からの出力を入力する９０度ハイブリッド結合手段とを備えるイメージリジェクション型周波数変換器である。
そして、ＦＥＴミキサ手段において局部発振信号成分を調整する調整用バイアス回路を設けたことを特徴とする。
【００１８】
請求項５に記載の発明は、上記請求項４に記載の周波数変換器において、ＦＥＴミキサ手段が、１／２局部発振信号と前記中間周波数帯信号とをゲートに入力することで、出力において局部発振信号成分と、該周波数成分で中間周波数帯信号に周波数変換された無線周波数帯信号と同時に得られるシングルエンドタイプミキサであって、更に該ゲート入力部には前記調整用バイアス回路である調整用ゲートバイアス電圧印加回路と、ドレインに固定電圧を印加するドレインバイアス電圧印加回路とを備える。
【００１９】
そして、前記１／２局部発振信号の入力と、該調整用ゲートバイアス電圧印加回路からの入力と、所定のバイアス回路を介した前記中間周波数帯信号の入力との各入力を接続する接続点と、該接続点と接続されるゲート、及び接地されたソース、該ドレインバイアス電圧印加回路により印加されミキサ出力端子を設けたドレインを有するＦＥＴとからなる周波数変換器を提供する。
【００２０】
本発明は中間周波数帯変調信号を無線周波数帯変調信号に変換する周波数変換方法を提供することもできる。
該方法において、局部発振信号を第１の局部発振信号と、第２の局部発振信号に分配し、第１の局部発振信号と該中間周波数帯変調信号とを入力して乗算し、単側波帯（ＳＳＢ）変調信号、もしくは両側波帯（ＤＳＢ）変調信号に変換する一方、第２の局部発振信号の電力を調整制御して合成することを特徴とする。
【００２１】
請求項７に記載の発明では、上記と別構成の周波数変換方法であって、（１）局部発振信号の１／２の周波数である１／２局部発振信号を入力して相互に同位相な第１及び第２の１／２局部発振信号に等分割し、（２）第１の１／２局部発振信号と、第１の位相の中間周波数帯信号とをサブハーモニック型の第１のＦＥＴミキサ手段に入力し、（３）第２の１／２局部発振信号と、該第１の位相とπ／２の位相差を有する中間周波数帯信号とをサブハーモニック型の第２のＦＥＴミキサ手段に入力し、（４）第１のＦＥＴミキサ手段からの出力及び該第２のＦＥＴミキサ手段からの出力を９０度ハイブリッド結合手段に入力するイメージリジェクション型周波数変換器構成を用いる。そして、ＦＥＴミキサ手段の調整用バイアス回路により周波数変換器出力における局部発振信号成分の電力を調整制御することを特徴とする。
【００２２】
さらに、請求項８に記載の発明は自己ヘテロダイン方式の送信機を提供することができる。すなわち、送信機は中間周波数帯信号を無線変調信号に変換する際に無変調キャリアと無線変調信号を生成し、アンテナから両信号を放射すると共に、受信機がアンテナで受信した無変調キャリアと無線変調信号との乗積成分を生成することで中間周波数帯信号に変換する自己ヘテロダイン方式の通信システムで用いる送信機である。
そして、前記した請求項１ないし５の周波数変換器を送信機の周波数変換手段として備えて無線変調信号を生成することを特徴とする。
【発明の効果】
【００２３】
本発明によれば局部発振信号を無線周波数帯信号に変換する際に、簡便な制御方法によって局部発振信号成分の電力調整を行うことができる。これにより、局部発振信号と変調信号との電力比を随時調整して最適な値とすることができるので、低コストでかつ高安定な通信方法に寄与する技術を提供することができる。
【発明を実施するための最良の形態】
【００２４】
以下、本発明の実施形態を、図面に示す実施例を基に説明する。なお、実施形態は下記に限定されるものではない。
図１は、本発明でもちいる周波数変換器（ミキサ回路）（１）の機能を説明する説明図である。ミキサ回路（１）にはIF帯の変調信号（１０）と、局部発振器で生成された局部発振信号（１１）が入力される。そして、RF帯の出力ポート（１２）からキャリア非抑圧型の単側波帯（ＳＳＢ）変調信号が出力される。
【００２５】
このときの信号スペクトラムでは下側波帯信号（１３）等がイメージ除去されてキャリアに対する比が所望レベル（図中、例えば３３ｄＢｃ）まで抑圧される。
公知のように乗算器であるミキサにおいて周波数ｆIFの中間周波数帯変調信号は、周波数ｆLOの無変調キャリア（１４）により周波数ｆLO+IFの上側波帯信号（１５）に変換される。
【００２６】
本件出願人らの研究によると、自己ヘテロダイン方式において受信回路で自乗検波方式により検波したＩＦ信号のキャリア対ノイズ電力比（CN比）は、局部発振信号（１４）成分・変調信号（１５）成分の電力比と、図１０のような相関を示すことがわかっている。グラフから明らかなように、局部発振信号（１４）と変調信号（１５）との電力が等しくなるときに、CN比が最大となり、通信方法において最適である。従って、ミキサ回路（１）において局部発振信号の信号強度を制御することができれば、最適な条件を実現可能であることに着目したのが本発明の着想である。
【００２７】
（実施例１）
本発明の第１の実施形態として、図２にはミキサ回路の構成図を示す。本回路には、イメージ除去バランスミキサ（２０）と共に、電力分配器（２１）、電圧調整型のRFアッテネータ（２２）、合成器（２３）を備えている。
【００２８】
局部発振信号（２４）は電力分配器（２１）で分配され、一方はミキサ（２０）において周波数のアップコンバージョンに用いられる。イメージ除去バランスミキサの構成は周知であり、すでに十分にイメージ信号や局部発振信号を抑圧できるものが提供されている。入力されたIF信号の信号スペクトラム（２６）及び、ミキサを通過した後の出力信号の信号スペクトラム（２７）は図の通りである。
【００２９】
分配された他方の局部発振信号（２４）は、合成器（２３）においてミキサ（２０）からの出力信号と合成される。これにより、自己ヘテロダイン方式で必要な局部発振信号と変調信号とからなる送信信号が生成される。送信信号の信号スペクトラム（２８）は図の通りである。
【００３０】
そして、アッテネータ（２２）を備えることによりDC電圧（２５）の調整を行うだけで局部発振信号の電力を変化させることができる。アッテネータ（２２）の構成例を図３に示す。
該構成において、入力端子（３０）から入力された局部発振信号は、DCバイアス制御端子（３１）に印加される電圧の変化により、コイル（３２）、コンデンサ（３３〜３６）、抵抗（３７・３８）、PINダイオード（３９・４０）からなる本回路で電力調整され、出力端子（４１）から出力される。
【００３１】
本構成は、モノリシックマイクロ波集積回路（MMIC)として１個のチップに実装することが可能であり、構成を簡素化できるほか、低コスト化にも寄与する。
なお、このようなアッテネータの回路は公知なものであり、本発明では周知のアッテネータを適宜用いることができる。アッテネータにおける可変には電圧の変更に限らず、抵抗値を変化させる方法によるものなどいかなる構成でもよい。
【００３２】
また別実施例として、ミキサ（２０）にサブハーモニックミキサやN次のハーモックミキサを用い、アッテネータ（２２）の前段、もしくは後段に２逓倍回路もしくはＮ次の周波数逓倍回路を設けてもよい。
【００３３】
以上の構成により、簡便に局部発振信号の電力を調整することができ、自己ヘテロダイン方式において最適なCN比を得ることができる。特に、局部発振信号と変調信号の電力を独立して調整可能な点に特徴がある。また、既存のイメージ除去バランスミキサとして最適化設計されたミキサを用いることが可能なため、低コストで実現可能であると同時に、周波数変換における高い線形性性能も期待出来る。
【００３４】
（実施例２）
本発明の第２の実施形態として、図４に示すような回路構成をとることができる。本構成では、図２の構成と異なり、サブハーモニック型の周波数変換を行うものである。
図４において、局部発振信号の１／２の周波数の信号（以下、１／２局部発振信号と呼ぶ）（５０）を分割手段である同相デバイダ（５１）に入力して、同位相な２系統の信号に分割する。
【００３５】
そして、一方のミキサ回路（５２）に中間周波数帯信号を入力すると共に、他方のミキサ回路（５３）には、それと９０度（π／２）位相差のある中間周波数帯信号を入力する。
そして、ミキサ回路（５２）（５３）によって周波数変換された出力信号を、９０度ハイブリッド結合器（５４）に入力して合成し、出力端子（５５）から出力する。
【００３６】
本構成は図９に示した従来例を発展させたものであるが、図９の技術ではミキサ（３０２）（３０３）で用いる２つのダイオード（３１２）（３１３）の容量を調整しておくことで局部発振信号の出力が決定され、回路の設計後に柔軟に調整することはできなかった。
【００３７】
図５は図４に示したミキサ（５２）（５３）の詳細な回路構成例を示している。本発明で提案する回路は、図４に示したミキサ（５２）（５３）が、シングルエンドタイプのFET（電界効果型トランジスタ）を用いたミキサ回路であり、FETのバイアス制御により局部発振信号成分の電力を調整可能にする。
１／２局部発振信号（６０）と、中間周波数帯信号（６１）とは、FETのゲート（６６）に入力され、アップコンバートされた無線変調信号と局部発振信号はFETのドレイン（６９）に出力され、出力ポート（６５）から回路出力される。
【００３８】
このとき、ゲート（６６）には、マッチング回路（６３）を介した調整用バイアス回路を設けており、調整可能な制御電圧（６２）を印加するようになっており、この電圧により、局部発振信号の出力ポート（６５）からの電力を変化させることができる。
【００３９】
本回路の最も基本的な構成は以上の通りであり、このほかに、ドレイン（６９）に一定の電圧（７０）を印加する他、ソース（６７）は接地され、複数のマッチング回路（６４）（７１）が配設されている。
【００４０】
シングルエンドタイプのミキサにおいては、FETのゲートバイアスの設定に周波数変換の諸要素が強く依存することがよく知られており、一般的には、本回路で所望信号として出力される2fLO+fIFの周波数をもつ出力信号が最大となり、不要成分として扱われる2fLOの周波数や他の周波数成分をもつ出力信号が最小となる理想的なゲートバイアス条件が選択される。
【００４１】
図１１はゲートバイアスにおける印加電圧と、局部発振信号及び変調信号の比との関係の一例をグラフで示したものである。図において、本実施例が前提とする自己ヘテロダイン方式における送信信号としては、例えば2fLOの周波数の信号のグラフと、2fLO+fIFの周波数の信号のグラフとの交点A及びBが最適な点であることが分かっており、本発明において、この時の値をとる電圧を印加すればよいことになる。
【００４２】
このように、最適なゲートバイアスの条件を見出すことで２つの信号のバランスを調整・制御することが容易である。さらに、２つのFETをそれぞれ調整することによって、十分なイメージ除去を行うように２つのFETを作用させることができる。
【００４３】
図６は、FETを用いたミキサ回路をバランス型で実装した場合の、本発明が供する周波数変換器の回路構成例であり、図４と同一の構成要素は同一の符号で示している。本回路でも同様に、１／２局部発振信号（５０）が同相デバイダ（５１）で分配され、マッチング回路（５０１）を介してそれぞれの接続点に接続される。上記一方の接続点には、その他に入力ポート（５０３ａ）からマッチング回路（５０４）を介した中間周波数帯信号と、マッチング回路（５０２）を介した調整可能なバイアス電圧（５００ａ）とが入力される。
他方の接続点には、入力ポート（５０３ｂ）からマッチング回路（５０４）を介した該中間周波数帯信号の位相がπ/２シフトした信号と、マッチング回路（５０２）を介した調整可能なバイアス電圧（５００ｂ）とが入力される。
【００４４】
さらに接続点は、マッチング回路（５０５）を経てゲートに接続される。ソース（５０６）が接地されることと、ドレインには一定電圧（５０８）がマッチング回路（５０９）を用いたバイアス回路を介して入力され、ドレインから信号出力がされることは上記同様である。
【００４５】
本実施例では、サブハーモニックミキサを用いた構成を提供することができるので、低い周波数の局部発振信号を用いた構成をとることができる。これにより周波数の安定化や、コストの削減を図ることができる。
なお、上記実施例では片側波帯（ＳＳＢ）変調信号に変換する例を示したが、両側波帯（ＤＳＢ）変調信号に変換する場合には周波数変換器の回路構成は更に簡単な構成となる。即ちバランス型構成をとる必要はない。
【００４６】
本発明は以上のような周波数変換器を提供するものであり、上述したとおりの方法により周波数変換を行う周波数変換方法として提供してもよい。
また、図７に示したような自己ヘテロダイン方式による通信システムで用いることが特に好適であり、その送信機のミキサ（１０１）に本発明の周波数変換器を用いることができる。
【図面の簡単な説明】
【００４７】
【図１】本発明に係るミキサの機能を説明する説明図である。
【図２】本発明の第１の実施形態に係るミキサ回路の回路図である。
【図３】同、アッテネータの回路図である。
【図４】本発明の第２の実施形態に係るミキサ回路の回路図である。
【図５】同、FETを用いたミキサの回路図である。
【図６】同、FETを用いたミキサを実装したミキサ回路の回路図である。
【図７】自己ヘテロダインの概要を説明する説明図である。
【図８】従来のミキサの回路を説明する回路図である。
【図９】従来の自己ヘテロダインで用いたミキサの回路を説明する回路図である。
【図１０】自己ヘテロダインにおける局部発振信号と変調信号の電力比とCN比の相関を示すグラフである。
【図１１】本発明第２の実施形態における最適なゲートバイアス条件を求めるためのグラフである。
【符号の説明】
【００４８】
２０    ミキサ
２１    分配器
２２    アッテネータ
２３    合成器
２４    局部発振信号
２５    DC電圧
２６    IF信号の信号スペクトラム
２７    ミキサから出力された信号の信号スペクトラム
２８    合成器で合成された信号の信号スペクトラム
【図１】
2007180621.tif 000003
【図２】
2007180621.tif 000004
【図３】
2007180621.tif 000005
【図４】
2007180621.tif 000006
【図５】
2007180621.tif 000007
【図６】
2007180621.tif 000008
【図７】
2007180621.tif 000009
【図８】
2007180621.tif 000010
【図９】
2007180621.tif 000011
【図１０】
2007180621.tif 000012
【図１１】
2007180621.tif 000013